(57)【特許請求の範囲】
【請求項１】
中心部に設けられ、電子機器側の支軸に回転可能に支持されるボス部と、前記ボス部を囲んで設けられ、外周面が操作部及び駆動歯車部として形成された外周リム部と、前記ボス部と前記外周リム部との間を連結する弾性変形する複数のアーム部とを有し、前記外周リム部の一部が前記ボス部方向に押圧されることにより前記アーム部が弾性変形し、前記外周リム部の全体が前記ボス部に対して押圧方向へと偏位するように形成され、前記外周リム部の外周面の少なくとも一部が電気機器のキャビネットに形成した操作穴より突出される合成樹脂製のダイヤル部材と、
前記外周リム部の一部が前記ボス部方向に押圧されることにより前記アーム部が弾性変形し、前記外周リム部の全体が前記ボス部に対して押圧方向へと偏位することにより、前記外周リム部の前記駆動歯車部に駆動歯車が噛合し、前記ダイヤル部材の回転操作によって回転されて調整される可変電気素子と、
前記外周リム部の内側面に形成された凹部に接点片が臨まされ、前記外周リム部が前記アーム部の付勢力に抗して押圧操作されることにより前記接点片が閉成され照明を点灯させるスイッチ装置とを備え、
前記可変電気素子は、前記外周リム部が前記アーム部の弾性付勢力に抗して前記ボス部側に移動され、前記外周リム部の前記駆動歯車部が前記駆動歯車に噛合し、前記ダイヤル部材が回転操作されることにより前記可変電気素子の調整が行われるとともに、前記照明の点灯が行われることを特徴とする電気機器の可変電気素子調整装置。
【請求項２】
前記接点片が臨まされる前記外周リム部の内側面に形成された凹部は、前記外周リム部の全周に亘って形成されていることを特徴とする請求項１記載の電気機器の可変電気素子調整装置。
【発明の詳細な説明】
【０００１】
【産業上の利用分野】
本発明は、ラジオ受信機、磁気記録再生装置等の電気機器において、電気的特性の設定、調整手段として使用される可変電気素子の調整装置に関する。
【０００２】
【従来の技術】
電気機器には、電気的特性の設定、調整手段として可変電気素子が備えられている。例えば、ラジオ受信機にあっては、周波数帯域の設定を行うチューナ装置のバリコン或いは音量の調節を行うボリューム装置の摺動抵抗器等の可変電気素子を有しており、これらは、ダイヤル部材を回転操作することによって適宜の状態に設定、調整される。
【０００３】
従来の可変電気素子の調整装置、例えばラジオ受信機のチューナ装置は、キャビネットに組み込んだ基板上にバリコンを実装し、このバリコンのチューナ軸に軸装したチューナ駆動歯車にダイヤル部材と一体若しくは一体的に回転する駆動歯車を噛合させてなる。ダイヤル部材は、その周面の一部が機器キャビネットに穿設した操作穴から外部に露呈しており、しかして、このダイヤル部材を回転操作することによって、チューナ駆動歯車、チューナ軸を介してバリコンが所定角度回動され、所定の周波数帯域にチューニングされる。
【０００４】
【発明が解決しようとする課題】
ところで、上述したように、従来のラジオ受信機のチューナ装置にあっては、機器キャビネットに穿設した操作穴から周面の一部が突出露呈されたダイヤル部材と、チューナ駆動歯車、換言すれば可変電気素子の駆動歯車とが常時噛合されているため、不用意ダイヤルに触れたりすると可変電気素子によって設定されていた電気的特性が変わってしまうおそれがあった。
【０００５】
また、キャビネットを叩く等して衝撃が加えられると、ダイヤル部材を介して可変電気素子を実装した基板が動いて電気的特性が変わってしまうおそれもあった。さらに、組立に際しては、駆動歯車間を精度よく噛合させるための調整も必要であった。
【０００６】
本発明は、不用意にダイヤル部材に触れたり、衝撃等が加えられても設定された電気的特性が保持されるようにした電気機器の可変電気素子の調整装置を提供することを目的に提案されたものである。
【０００７】
【課題を解決するための手段】
この目的を達成するために提案される本発明に係る電気機器の可変電気素子調整装置は、中心部に設けられ、電子機器側の支軸に回転可能に支持されるボス部と、前記ボス部を囲んで設けられ、外周面が操作部及び駆動歯車部として形成された外周リム部と、前記ボス部と前記外周リム部との間を連結する弾性変形する複数のアーム部とを有し、前記外周リム部の一部が前記ボス部方向に押圧されることにより前記アーム部が弾性変形し、前記外周リム部の全体が前記ボス部に対して押圧方向へと偏位するように形成され、前記外周リム部の外周面の少なくとも一部が電気機器のキャビネットに形成した操作穴より突出される合成樹脂製のダイヤル部材と、前記外周リム部の一部が前記ボス部方向に押圧されることにより前記アーム部が弾性変形し、前記外周リム部の全体が前記ボス部に対して押圧方向へと偏位することにより、前記外周リム部の前記駆動歯車部に駆動歯車が噛合し、前記ダイヤル部材の回転操作によって回転されて調整される可変電気素子と、前記外周リム部の内側面に形成された凹部に接点片が臨まされ、前記外周リム部が前記アーム部の付勢力に抗して押圧操作されることにより前記接点片が閉成され照明を点灯させるスイッチ装置とを備え、前記可変電気素子は、前記外周リム部が前記アーム部の弾性付勢力に抗して前記ボス部側に移動され、前記外周リム部の前記駆動歯車部が前記駆動歯車に噛合し、前記ダイヤル部材が回転操作されることにより前記可変電気素子の調整が行われるとともに、前記照明の点灯が行われることを特徴とする。
【０００８】
ここで、前記接点片が臨まされる前記外周リム部の内側面に形成された凹部は、前記外周リム部の全周に亘って形成されている
【０００９】
【作用】
本発明に係る電気機器の可変電気素子調整装置によれば、可変電気素子は、ダイヤル部材を押圧して駆動歯車と連結した状態で回転操作することによって調動される。また、ダイヤル部材を押圧操作することによって、スイッチが閉成される。
【００１０】
【実施例】
以下、本発明をラジオ受信機のチューナ装置に適用した例を挙げて説明する。
本発明が適用されるラジオ受信機のチューナ装置の先行例を図１及び図２を参照して説明する。この図１及び図２に示すチューナ装置は、図１及び図２に示すように、キャビネット１の主面に矩形の操作穴２が穿設されるとともに、この操作穴２の両側に位置する主面の内方側に、互いに対向して一対の軸受部３ａ、３ｂがキャビネット１に一体に形成されている。これら軸受部３ａ、３ｂにそれぞれ設けた軸穴４ａ、４ｂは、それぞれキャビネット１の主面に対して直交する方向に長い軸穴として形成されている。
【００１１】
軸受部３ａ、３ｂには、両端を軸穴４ａ、４ｂにそれぞれ挿入されて支軸５が支持されいる。この支軸５には、合成樹脂材料により形成されたダイヤル部材６が取り付けられている。ダイヤル部材６は、その半径が操作穴２と軸受部３ａ、３ｂとの間隔よりもやや大きく形成され、その厚みは操作穴２の幅よりもやや小さく形成されている。このダイヤル部材６は、支軸５に支持された状態において、その外周面の一部が操作穴２より外部へと突出露呈する。このダイヤル部材６には、その一側にやや小径の駆動歯車７が一体に形成されている。
【００１２】
ダイヤル部材６に対して、キャビネット１の主面とは反対側に位置しかつ駆動歯車７に近接してチューナ駆動歯車８が配置されている。すなわち、チューナ駆動歯車８は、キャビネット１に組み付けられた基板１１に実装されたバリコン１０のチューナ軸９に軸装されており、このチューナ軸９は、ダイヤル部材６に対してキャビネット１の主面とは反対側に位置して支軸５と平行に延在している。そして、駆動歯車７とチューナ駆動歯車８とは、支軸５が軸穴４ａ、４ｂの最もキャビネット１側に位置された状態においては、その噛合が解除されている。
【００１３】
また、チューナ軸９には、チューナ駆動歯車８に隣接してプーリ１２が固定されており、このプーリ１２には、図示しないが、チューナ表示部の指針を駆動する指針駆動ひもが巻回されている。
【００１４】
ダイヤル部材６は、弾性部材１３によって操作穴２側へと付勢されている。すなわち、線条によって形成される弾性部材１３は、キャビネット１に形成した図示しない取付部に収納されるコイル状に巻回された基部１３ａと、この基部１３ａより全体略コ字状を呈するようにして延長される一対の弾性変形部１３ｂ、１３ｃとからなる。
【００１５】
そして、弾性部材１３は、その弾性変形部１３ｂ、１３ｃの先端がダイヤル部材６の両側に形成されたボス部の外周面に、キャビネット１の主面とは反対側から弾接することによって、ダイヤル部材６をキャビネット１の主面側へと付勢している。
【００１６】
ダイヤル部材６に対して操作穴２とは反対側でかつダイヤル部材６の外周面に近接した位置には、スイッチ装置１４が配設されている。スイッチ装置１４は、一対の弾条接点片１４ａ、１４ｂとからなり、相対向するこれら弾条接点片１４ａ、１４ｂの自由端がダイヤル部材６を挟んで操作穴２とは反対側のダイヤル部材６の外周面に近接して延在してなる。
【００１７】
スイッチ装置１４は、チューナ表示部照明回路に介挿されており、弾条接点片１４ａ、１４ｂが短絡することによって、チューナ表示部に配設したランプが点灯してチューナ表示部を照明する。なお、ダイヤル部材６が最もキャビネット１の主面側にある場合には、弾条接点片１４ａ、１４ｂ間は開放状態に保持されている。
【００１８】
以上のように構成されたチューナ装置にあっては、通常、ダイヤル部材６は、弾性部材１３の弾性力によってキャビネット１の主面側へと付勢され、その周面の一部が操作穴２より外部へと突出露呈している。この状態においては、支軸５は軸穴４ａ、４ｂのキャビネット１の主面側に押し上げられていてチューナ軸９との軸間距離が大となっているため、ダイヤル部材６と一体の駆動歯車７とチューナ駆動歯車８との噛合は解除されている。また、弾条接点片１４ａ、１４ｂもダイヤル部材６の外周面からは離間して開放されており、チューナ表示部のランプも消灯している。
【００１９】
上述したようなチューナ装置を備えたラジオ受信機のチューニング操作は、ダイヤル部材６を押圧しながら回転操作することによって行われる。すなわち、ダイヤル部材６を、弾性部材１３の弾性力に抗して押圧することによって、支軸５は長穴とされた軸穴４ａ、４ｂに沿ってキャビネット１の主面から離れる方向に移動し、支軸５とチューナ軸９との軸間距離が小となって、ダイヤル部材６と一体の駆動歯車７とチューナ駆動歯車８とが噛合する。したがって、ダイヤル部材６を回転操作することによって、駆動歯車７を介してチューナ駆動歯車８も回転動作し、バリコン１０を所定角度回動し、ラジオ受信機のチューニングが行われる。
【００２０】
一方、ダイヤル部材６を押圧操作することによって、このダイヤル部材６の操作穴２とは、反対側の外周面に近接して配設された一方の弾条接点片１４ａが押圧され、他方の弾条接点片１４ｂと接触する。これによって、スィッチ装置１４は閉成し、チューナ表示部のランプが点灯してこのチューナ表示部の照明が行われる。
【００２１】
ダイヤル部材６を開放すると、弾性部材１３の弾性力によってダイヤル部材６はキャビネット１の主面側へと移動し、駆動歯車７とチューナ駆動歯車８との噛合が解除されるとともに、接触状態にあった弾条接点片１４ａと弾条接点片１４ｂとが離間してスィッチ装置１４は開放され、チューナ表示部のランプは消灯する。
【００２２】
上述したラジオ受信機のチューニング装置によれば、通常、ダイヤル部材６はチューナ駆動歯車８とは切り離されているため、不用意にダイヤル部材６に触れたり、衝撃を加えたりしても、設定されたチューニングがずれてしまうことはない。また、チューニング操作を行うと同時にチューナ表示部の照明が行われるため、利便性は極めて大である。
【００２３】
次に、上述したようなラジオ受信機のチューニング装置に適用されて有用な本発明に係る電気機器の可変電気素子調整装置を図３を参照して説明する。なお、前述した先行例と同一部品は同一符号を付し、その詳細な説明は省略する。
【００２４】
この本発明が適用された実施例として示すチューナ装置は、ダイヤル部材２０に特徴を有している。すなわち、ダイヤル部材２０は、合成樹脂材料によって形成され、外周面が操作部及び駆動歯車部２１ａとして形成された外周リム部２１と、中心部のボス部２２及びこれら外周リム部２１とボス部２２とを連結する複数本のアーム部２３とからなる。
【００２５】
複数のアーム部２３は、それぞれ薄肉でかつ外周リム部２１からボス部２２に至る間で略Ｓ字状に折曲されてなる。このダイヤル部材２０にあっては、外周リム部２１の一部を軸心方向に押圧すると、アーム部２３が弾性変形し、ボス部２２に対して全体が押圧方向へと偏位するように構成されてなる。
【００２６】
このダイヤル部材２０は、キャビネット１に形成したスタッド１５上に回動自在に支持され、その外周リム部２１の一部がキャビネット１に穿設した操作穴２より外部に突出露呈するとともに、この露呈部とはボス部２２を介して反対側部分には、内側面に弧状の凹部２４が形成されている。この凹部２４には、弾条接点片１４ａ、１４ｂの自由端が臨むようにして配置されている。
【００２７】
しかして、操作穴２から外周面の一部が突出露呈されたダイヤル部材２０は、これを押圧するとアーム部２３が弾性変形し、全体がキャビネット１の内方へと偏位し、外周リム部２１の外周面に形成した駆動歯車部２１ａがチューナ駆動歯車８と噛合する。したがって、ダイヤル部材２０を回動操作することによって、チューナ駆動歯車８が回動し、このチューナ駆動歯車８を軸装したチューナ軸９を介してバリコン１０が所定角度回動してチューニングが行われる。
【００２８】
また、ダイヤル部材２０がキャビネット１の内方へと偏位する際、先端が凹部２４に臨んで配置された弾条接点片１４ａ、１４ｂが閉成され、チューナ表示部の照明が行われる。
【００２９】
なお、以上説明した本発明に係る電気機器の可変電気素子調整装置が適用されたラジオ受信機のチューナ装置においては、ダイヤル部材２０の外周リム部２１の内側面に、弾条接点片を臨ませる弧状の凹部２４を形成したが、この凹部２４はダイヤル部材２０の全周に亘って形成したものであってもよい。また、チューナ駆動歯車８と噛合する駆動歯車部２１ａをダイヤル部材２０の外周面に形成したが、この駆動歯車をダイヤル部材２０の側面に全周に亘って形成するとともに、チューナ駆動歯車８を側面方向にずらして配置してもよい。
【００３０】
図４は、本発明に係る電気機器の可変電気素子調整装置の他の実施例として示すラジオ受信機のチューナ装置であり、上記実施例と同一部品は同一符号を付し、その詳細な説明は省略する。
【００３１】
この示すチューナ装置もまた、ダイヤル部材３０に特徴を有している。すなわち、ダイヤル部材３０は、合成樹脂材料によって形成され、操作部及び駆動歯車部として機能する外周リム部３１と、キャビネット１に形成したスタッド１６上に回動自在に支持されるボス部３２、及びこれら外周リム部３１とボス部３２とを連結する複数本のアーム部３３とからなる。
【００３２】
これらアーム部３３は、それぞれ薄肉でかつその一部が側面方向に略Ｕ字状に突出するように折曲されており、外周リム部３１の一部を押圧することによってアーム部３３が弾性変形し、ボス部２２側に対して全体が押圧方向へと偏位するように構成されてなる。
【００３３】
したがって、ダイヤル部材３０を押圧すると、操作穴２側のアーム部３３ａが縮むとともに反対側のアーム３３ｂが伸びて全体としてキャビネット１の内方へと偏位し、外周リム部３１に形成した駆動歯車とチューナ歯車８とが噛合する。この状態で、ダイヤル部材３０を回動操作することによって、チューナ駆動歯車８が回動し、チューニングが行われる。また、ダイヤル部材３０が内方へと偏位する際、先端が外周リム部３１の内側面に形成した凹部３４に臨んで配置された弾条接点片１４ａ、１４ｂが閉成され、チューナ表示部の照明が行われる。
【００３４】
上記各実施例では、ラジオ受信機のチューナ装置に適用した例を示したが、本発明は、テープレコーダ、携帯用小型テレビ受信機等の各種電気機器にも適用されるものであり、また、これら電気機器に備えられる可変電気素子を有する例えば、音量、感度或いは輝度等の各種調整装置にも広く適用できるものである。
【００３５】
【発明の効果】
上述したように、本発明に係る電気機器の可変電気素子調整装置によれば、通常、ダイヤル部材は可変電気素子を調動する駆動歯車との連結が解除されているため、誤ってダイヤル部材に触れたり、落下等によって衝撃を加えた場合でも、可変電気素子の設定状態が変わってしまうといったおそれは解消される。したがって、特に携帯用のラジオ受信機、磁気記録再生装置等のチューナ、ボリューム等に採用して有用である。さらに、ダイヤル部材の駆動歯車に対する断接の操作に関連して照明を点灯することができるので、可変電気素子の操作を一層確実に行うことができる。
【００３６】
また、ダイヤル部材を押圧してこのダイヤル部材と一体の駆動歯車と可変電気素子駆動歯車とを噛合させるため、両駆動歯車はしっかりと噛合し、バックラッシュによる可変電気素子の状態の変化は少ない。さらに、組立時の歯車間の噛合調整も不要となる。
【図面の簡単な説明】
【図１】  本発明が適用されるラジオ受信機のチューナ装置の先行例を示す要部分解斜視図である。
【図２】  上記ラジオ受信機のチューナ装置の断面図である。
【図３】  本発明が適用されたラジオ受信機のチューナ装置の実施例を示す断面図である。
【図４】  本発明に係るラジオ受信機のチューナ装置の他の実施例を示す断面図である。
【符号の説明】
１  キャビネット、  ２  操作穴、  ８  チューナ駆動歯車、  ９  チューナ軸、  １０  バリコン、  １４  スイッチ装置、  １５，１６  スタッド、  ２０、３０  ダイヤル部材、  ２１、３１  外周リム部、  ２２、３２  ボス部、  ２３、３３  アーム部、  ２４、３４  凹部
【図１】
0003799065.tif 000002
【図２】
0003799065.tif 000003
【図３】
0003799065.tif 000004
【図４】
0003799065.tif 000005